(57)【要約】【課題】少なくとも３つ以上の複数の押圧棒を設けた押圧具であって、そのうち２つの押圧棒の各先端部で同時押圧する時のそれぞれの押圧感が均等になるようにすると共に先端部同士の間隔がそれぞれ単一ではないようにした押圧具を実現する。【解決手段】押圧具１として上下対称及び左右対称のＸ形状をなし、上下にそれぞれ存する各先端部３の間隔Ｉ１よりも、左右にそれぞれ存する各先端部３の間隔Ｉ２を大きくして構成する。【選択図】図１
2018083037.tif 000002
【特許請求の範囲】
【請求項１】
身体を押圧するための先端部をそれぞれ有する四つの押圧棒を中央で連結した上下対称及び左右対称のＸ形状をなし、上下にそれぞれ存する前記各先端部の間隔よりも、左右にそれぞれ存する前記各先端部の間隔を大きくしたことを特徴とする押圧具。
【請求項２】
弾性部材からなるよう形成することを特徴とする請求項１に記載の押圧具。
【請求項３】
左右にそれぞれ存する前記各先端部の間隔の側へ向かって前記各押圧棒を曲げる形状にすることを特徴とする請求項１又は請求項２に記載の押圧具。
【発明の詳細な説明】
【技術分野】
【０００１】  本発明は、身体のつぼを圧迫したりマッサージしたりするための押圧具に関するものである。
【背景技術】
【０００２】  従来の押圧具には、２つの棒が中央で直角になるよう組み合わせたような形状で、４つの押圧棒にある先端部の身体に当たる面積をそれぞれ異ならせることにより、身体の各部位に適した押圧を可能としたものがある（例えば特許文献１参照）。【０００３】  この種の押圧具は、４つの先端部のうち１つずつを使って押圧できるが、その他の使用方法として２つの先端部を同時に身体に押し当てて使用することも可能であり、その場合は１つの先端部だけを使用する場合よりも安定して使用することができ、且つ押圧力の加減がし易い。
【先行技術文献】
【特許文献】
【０００４】
【特許文献１】特開平０９−２３８９９６号公報
【発明の概要】
【発明が解決しようとする課題】
【０００５】  しかし、この種の押圧具は各先端部の当接面積が異なるため、２つの先端部を同時に押圧させた際、２つの先端部におけるそれぞれの押圧感は均等的にはならず、例えば背骨の左右を２つの先端部で同時押しする場合のように、２つの先端部の押圧感が均等であって欲しいと望む使用者の期待には応えられないとの問題があった。【０００６】  さらに、２つの棒が中央で直角になるよう組み合わせたような形状では、２つの先端部同士の間隔がどの箇所でもほぼ同じになるため、例えば背骨の左右を２つの先端部で同時押しする際、いつも同じ間隔で押圧するにとどまり、背骨の左右方向におけるさらに外側の部位を同時押しすることができないとの問題もあった。【０００７】  本発明は、このような従来の構成が有していた問題を解決しようとするものであり、少なくとも３つ以上の複数の押圧棒を設けた押圧具において、そのうち２つの押圧棒の各先端部で同時押圧する時のそれぞれの押圧感が均等になるようにすると共に、先端部同士の間隔がそれぞれ単一ではないようにした押圧具を実現することを目的とするものである。
【課題を解決するための手段】
【０００８】  本発明の押圧具は、身体を押圧するための先端部をそれぞれ有する四つの押圧棒を中央で連結した上下対称及び左右対称のＸ形状をなし、上下にそれぞれ存する前記各先端部の間隔よりも、左右にそれぞれ存する前記各先端部の間隔を大きくしたことを主要な特徴とする。【０００９】  また、本発明の押圧具として、弾性部材からなるよう形成してもよい。【００１０】  さらに、本発明の押圧具として、左右にそれぞれ存する前記各先端部の間隔の側へ向かって前記各押圧棒を曲げる形状にすることもできる。
【発明の効果】
【００１１】  本発明の押圧具は、上下対称及び左右対称のＸ形状をなしており、上下にそれぞれ存する前記各先端部の間隔よりも、左右にそれぞれ存する前記各先端部の間隔を大きくしているため、２つの前記先端部で身体を同時押圧する際のそれぞれの押圧感は均等的になり、首の後ろや背骨などの左右の部位を左右均等に押圧することができるようになるし、大きくした前記各先端部の間隔の側で首の後ろや背骨などの左右方向におけるさらに外側の部位を同時押しすることができるようになる。【００１２】  また、本発明の押圧具を、弾性部材からなるよう形成すれば、首の後ろや背骨などの左右の部位を、より均等に且つ安定的に押圧することができるようになる。【００１３】  さらに、本発明の押圧具として、左右にそれぞれ存する前記各先端部の間隔の側へ向かって前記各押圧棒を曲げる形状にすれば、大きくした前記各先端部の間隔の側における２つの前記各先端部の押圧感が弱くなりすぎないようにすることができる。
【図面の簡単な説明】
【００１４】
【図１】本発明の一実施の形態における押圧具の正面図。
【図２】本発明の一実施の形態における押圧具の側面図。
【図３】本発明の一実施の形態における押圧具の背面図。
【図４】本発明の一実施の形態における押圧具の使用状態説明図。
【図５】本発明の一実施の形態における押圧具の使用状態説明図。
【図６】本発明の一実施の形態における押圧具の使用状態説明図。
【図７】本発明の一実施の形態における押圧具の使用状態説明図。
【発明を実施するための形態】
【００１５】  以下に、本発明の押圧具を図面に基づき詳細に説明する。
【００１６】  本発明の押圧具１は、図１及び図２の実施形態で示したように、身体を押圧するための先端部３をそれぞれ有する四つの押圧棒２・２・２・２を中央で連結した上下対称及び左右対称のＸ形状をなしており、上下にそれぞれ存する前記各先端部３の間隔Ｉ１よりも、左右にそれぞれ存する前記各先端部３の間隔Ｉ２を大きくして構成している。
【００１７】  前記各先端部３は半球形状であるので、前記間隔Ｉ１の側において２つの前記先端部３・３で同時に押圧する場合だけでなく、前記間隔Ｉ２の側において２つの前記先端部３・３で同時に押圧する場合においても良好な押圧感が得られる。
【００１８】  このような構成により、本発明の押圧具１は従来のものとは異なり、図４及び図５に示すように、身体Ｍを押圧する際の前記先端部３・３のそれぞれの押圧感は均等的になり、首の後ろや背骨などの左右の部位を左右均等に押圧することができるようになるし、前記間隔Ｉ１よりも大きくした前記間隔Ｉ２の側で、首の後ろや背骨などの左右方向におけるさらに外側の部位を同時押しすることができるようになる。尚、図４及び図５は前記押圧具１で身体Ｍの背骨を中心とした左右の背中の部位を押圧する様子を示している。
【００１９】  また、本発明の押圧具１を弾性部材からなるよう形成すれば、首の後ろや背骨などの左右の部位を、より均等に且つ安定的に押圧することができるようになる。
【００２０】  さらに、図５に示すように、前記各間隔Ｉ２の側へ向かって前記各押圧棒２をそれぞれ曲線Ｌに沿って曲げる形状にすれば、前記間隔Ｉ２の側で身体Ｍを押圧する２つの前記先端部３・３の半球面が当接し易くなるので、前記間隔Ｉ２の側における２つの前記各先端部の３・３の押圧感が弱くなりすぎないようにすることができる。さらに、図６に示すように、前記間隔Ｉ１の側の２つの前記先端部３・３を片手で握って掌を押圧する場合も、前記先端部３の半球面が掌に当接し易くなって良好な押圧感が得られる。
【００２１】  本発明の押圧具１は図３に示すように、弾性調整部４を適宜設けることができる。図３は、前記各押圧棒２にそれぞれ前記弾性調整部４を設けた例である。例えば、前記押圧具１を弾性部材からなるものとすると共に前記各弾性調整部４を穴形状にすると、そうしない場合よりも柔軟になる。さらに、図示しないが、前記押圧具１の中央付近における前記各弾性調整部４同士の間にある間部４１を取り除いて前記各弾性調整部４を連続させると、さらに柔軟にすることができる。または、前記押圧具１を弾性部材からなるものとした場合、前記各弾性調整部４を前記押圧具１の弾性部材よりも硬質な部材として前記押圧具１に埋め込むなら、そうしない場合よりも硬くなって前記各先端部３の押圧感が増す。このように、前記弾性調整部４を適宜設けて前記押圧具１の弾性力を調整できるようにすれば、より多くの使用者の必要に応じることができ販売拡大を見込める。
【００２２】  本発明の押圧具１は、前記各先端部３で押圧するだけでなく、前記各間隔Ｉ１及び前記各間隔Ｉ２における前記先端部３・３の間に、首筋や肩、腕や脚などを挿入しながら移動させるなら、皮膚の摩擦やリンパマッサージを効率よく行うことができる。図７は、前記押圧具１を腕に使用している例である。加えて、前記押圧具１の前記各押圧棒を弾性部材にするなら、前記先端部３・３の間に身体部位が密着し、効果的に摩擦やリンパマッサージを実施することができる。
【００２３】  前記間隔Ｉ１と前記間隔Ｉ２との比率について、前記間隔Ｉ１を１とする場合、前記間隔Ｉ２は１．１〜３の範囲で設定するのが望ましい。尚、前記間隔Ｉ１を１とする場合の前記間隔Ｉ２の比率が３を超えると、前記間隔Ｉ２の側における２つの前記先端部３・３の押圧感が弱くなってしまい、押圧効果が得られなくなる。
【符号の説明】
【００２４】  １  押圧具
２  押圧棒
３  先端部
４  弾性調整部
４１  間部
Ｉ１  間隔
Ｉ２  間隔
Ｍ  身体
Ｌ  曲線
【図１】
2018083037.tif 000003
【図２】
2018083037.tif 000004
【図３】
2018083037.tif 000005
【図４】
2018083037.tif 000006
【図５】
2018083037.tif 000007
【図６】
2018083037.tif 000008
【図７】
2018083037.tif 000009